(57)【要約】【課題】ケースを加工することなく、簡単な構成で確実に誤姿勢のメモリーカードの挿入を防止できるメモリーカード用コネクタを提供する。【解決手段】カバーに片持ち支持される板バネ片を一体に形成し、板バネ片の少なくとも自由端側の誤挿入防止板部を、後方側面が、メモリーカードの挿入方向に直交してカード収容部内に臨み、カード収容部に挿入されるメモリーカードの傾斜面の移動軌跡を横切るようにカバーに対して下方に傾斜させる。通常の姿勢で挿入されるメモリーカードは、傾斜面が後方側面の下部に当接して、誤挿入防止板部を押し上げるが、誤姿勢で挿入されるメモリーカードは、平坦面が後方側面に当接するので、誤挿入防止板部によりその挿入が規制される。【選択図】図４
2012059446.tif 000002
【特許請求の範囲】
【請求項１】
複数のコンタクト片が互いに絶縁して取り付けられたケースと、
ケースの上面を覆い、後方から前方に向かって挿入されるメモリーカードを収容するカード収容部がケースとの間に形成されるカバーとを備え、
挿入方向の前面と一側面との間に誤挿入防止用の傾斜面が形成されたメモリーカードがカード収容部に収容された際に、メモリーカードの前方で露出する複数の導電部に前記各コンタクトが接触するメモリーカード用コネクタであって、
カバーに、カバーの中央側の基端からメモリーカードの挿入方向と交差する方向に向けて片持ち支持される板バネ片を一体に形成し、
板バネ片の少なくとも自由端側を、カバーに対して下方に傾斜させて誤挿入防止板部とし、
誤挿入防止板部の後方側面が、メモリーカードの挿入方向に直交してカード収容部内に臨み、カード収容部に挿入されるメモリーカードの傾斜面の移動軌跡を横切ることを特徴とするメモリーカード用コネクタ。
【請求項２】
カバーは、導電性金属板で形成され、
カバーを略Ｕ字状に切り欠いて、カバーの一部から板バネ片を切り起こして形成したことを特徴とする請求項１に記載のメモリーカード用コネクタ。
【請求項３】
誤挿入防止板部の先端は、基端側の後方側面より後方に突出することを特徴とする請求項１又は請求項２に記載のメモリーカード用コネクタ。
【請求項４】
板バネ片の上面は、自由端から基端に向かって幅広に形成されることを特徴とする請求項１又は請求項２に記載のメモリーカード用コネクタ。
【請求項５】
誤挿入防止板部の後方側面と下面の間に下向きに傾斜する案内面が形成されることを特徴とする請求項１又は請求項２に記載のメモリーカード用コネクタ。
【発明の詳細な説明】
【技術分野】
【０００１】
本発明は、カード収容部内に収容したメモリーカードを電子機器へ接続するメモリーカード用コネクタに関し、更に詳しくは、誤姿勢で挿入しようとするメモリーカードの挿入を規制する誤挿入防止機構を備えたメモリーカード用コネクタに関する。
【背景技術】
【０００２】
従来、大型のＳＤカード等のメモリーカード１０には、図８に示すように、カード収容部へ挿入する挿入方向の前面片側に傾斜面１０ａが形成されている。この傾斜面１０ａが形成されたメモリーカード１０と接続するメモリーカード用コネクタ１００では、図１１に示すように、メモリーカード１０の傾斜面１０ａによって欠けた部位に誤挿入防止突起１０１などを形成して、前後や表裏が逆の姿勢（以下、誤姿勢という）でカード収容部１０３へ挿入しようとするメモリーカード１０の挿入を排除している（特許文献１）。
【０００３】
メモリーカード１０の裏面には、前端に沿って前端から後方に向かって複数の凹溝１１、１１・・が形成され、その凹溝１１内にそれぞれ導電パッド１２、１２・・が露出しているが、傾斜面１０ａが形成されることにより、その部位の導電パッド１２ａは、他の導電パッド１２よりやや後方（図８において下方）に露出するものとなっている。そこで、この導電パッド１２ａに接触するメモリーカード用コネクタ１００のコンタクト１０２ａも図９に示すように、他のコンタクト１０２に比べて挿入方向の後方に突き出て配置され、誤挿入するメモリーカード１０の他の導電パッド１２がこの突き出たコンタクト１０２ａに先に接触しないよう、上記誤挿入防止突起１０１は、コンタクト１０２ａの更に後方に立設される。
【特許文献１】特許第３９２４６７７号公報
【発明の概要】
【発明が解決しようとする課題】
【０００４】
上述の誤挿入防止機構を備えたメモリーカード用コネクタ１００は、コンタクト１０２ａに、通常姿勢で挿入されるメモリーカード１０の導電パッド１２ａを接触させるために、図１０に示すように、誤挿入防止突起１０１が凹溝１１を通過する高さとしなければならず、その高さが制限されていた。例えば、凹溝１１の深さは、約０．５ｍｍであり、誤挿入防止突起１０１は、少なくともこの高さ０．５ｍｍ以下の高さとする必要があった。
【０００５】
一方、カード収容部１０３は、コンタクト１０２やメモリーカード１０を遮蔽する為に、その上面が金属板等の弾性材料からなるカバー１０４で覆われることが多く、誤挿入するメモリーカード１０であってもカバー１０４が撓むことにより誤挿入防止突起１０１を乗り越え、誤挿入防止機能が果たせない恐れがあった。
【０００６】
これに加えて、誤挿入防止突起１０１は、導電パッド１２ａに接触するコンタクト１０２ａの後方で、メモリーカード１０に当接しない凹溝１１内に配置する必要があるので、その挿入方向についても充分な厚さをとることができず、強度が得られないので、誤姿勢で挿入するメモリーカード１０が当接して破損しやすいものであった。
【０００７】
更に、カード収容部１０３を構成するケースの内面に微少な突起１０１を精度良く形成する必要があり、ケースを製造する金型構造が複雑となり、厳しい製造精度が要求されるものとなった。
【０００８】
本発明は、このような従来の問題点を考慮してなされたものであり、ケースを加工することなく、簡単な構成で確実に誤姿勢のメモリーカードの挿入を防止できるメモリーカード用コネクタを提供することを目的とする。
【課題を解決するための手段】
【０００９】
上述の目的を達成するため、請求項１に記載の発明は、複数のコンタクト片が互いに絶縁して取り付けられたケースと、ケースの上面を覆い、後方から前方に向かって挿入されるメモリーカードを収容するカード収容部がケースとの間に形成されるカバーとを備え、挿入方向の前面と一側面との間に誤挿入防止用の傾斜面が形成されたメモリーカードがカード収容部に収容された際に、メモリーカードの前方で露出する複数の導電部に前記各コンタクトが接触するメモリーカード用コネクタであって、カバーに、カバーの中央側の基端からメモリーカードの挿入方向と交差する方向に向けて片持ち支持される板バネ片を一体に形成し、板バネ片の少なくとも自由端側を、カバーに対して下方に傾斜させて誤挿入防止板部とし、誤挿入防止板部の後方側面が、メモリーカードの挿入方向に直交してカード収容部内に臨み、カード収容部に挿入されるメモリーカードの傾斜面の移動軌跡を横切るメモリーカード用コネクタを最も主要な特徴とする。
【００１０】
通常姿勢でカード収容部に挿入されるメモリーカードの傾斜面は、傾斜面の移動軌跡を横切る誤挿入防止板部の後方側面の下端に当接する。誤挿入防止板部の後方側面は、メモリーカードの挿入方向と直交する方向でカード収容部に臨むので、メモリーカードの前方への挿入にともなってメモリーカードとの当接位置が自由端側にずれていき、誤挿入防止板部の全体がカード収容部から上方に退避するように誘導され、メモリーカードは更に前方へ挿入自在となる。一方、誤姿勢で挿入するメモリーカードは、傾斜面以外の挿入方向に直交する面が、誤挿入防止板部の後方側面とほぼ平行に当接するので、誤挿入防止板部は当接位置がずれずに、カード収容部から退避しないので、メモリーカードの更なる前方への挿入が規制される。
【００１１】
また、請求項２に記載の発明は、カバーが、導電性金属板で形成され、カバーを略Ｕ字状に切り欠いて、カバーの一部から板バネ片を切り起こして形成したことを特徴とする。
【００１２】
導電性金属板からなるカバーをメモリーカードの挿入方向と交差する方向に略Ｕ字状に切り欠くことにより、その内側に片持ち支持される板バネ片が形成される。傾斜面の移動軌跡に鉛直方向で交差する板バネ片の自由端側を下方へ折り曲げてカード収容部内に臨ませるだけで、誤挿入防止板部が形成される。
【００１３】
また、請求項３に記載の発明は、誤挿入防止板部の先端が、基端側の後方側面より後方に突出することを特徴とする。
【００１４】
誤挿入防止板部は、カバーに対して下方に傾斜しているので、その先端の後方側面は基端側より最も下方で後方に突出する。挿入方向の前面の上下が湾曲面となっているメモリーカードを誤姿勢で挿入しても、先端の後方側面が湾曲面下方の前面に最初に当接し、上方に誘導されない誤挿入防止板部によって挿入が規制される。また、通常の姿勢で挿入されるメモリーカードが挿入されると、誤挿入防止板部の後方側面の中間が最初にメモリーカードの傾斜面に当接して、当接位置が自由端側にずれることにより、誤挿入防止板部体がカード収容部から上方に退避し、メモリーカードは更に前方へ挿入自在となる。
【００１５】
また、請求項４に記載の発明は、板バネ片の上面は、自由端から基端に向かって幅広に形成されることを特徴とする。
【００１６】
前方に挿入されるメモリーカードが後方側面に当接し、片持ち支持される板バネ片の基端に最も大きな曲げモーメントが発生するが、基端に向かって断面係数が増加するので、挿入方向への撓みに対して板バネ片が破損しにくい。
【００１７】
また、請求項５に記載の発明は、誤挿入防止板部の後方側面と下面の間に下向きに傾斜する案内面が形成されることを特徴とする。
【００１８】
通常の姿勢で挿入されるメモリーカードの傾斜面が、下向きに傾斜する案内面に当接するので、誤挿入防止板部を上方に退避するように誘導する。誤姿勢で挿入するメモリーカードは、挿入方向の前面が鉛直方向で平行な後方側面に当接し、案内面には当接しないので、誤挿入防止板部は上方に誘導されない。
【発明の効果】
【００１９】
請求項１の発明によれば、メモリーカードの挿入方向と交差する方向に向けて自由端側をカード収容部内に臨ませた板バネ片をカバーに形成する簡単な構成で、誤姿勢でカード収容部に挿入されるメモリーカードの挿入を確実に排除できる。
【００２０】
また、カバーに誤挿入防止板部を有する板バネ片を形成するので、従来のケース側に形成する誤挿入防止突起枠部と併用することができ、より確実に誤姿勢の挿入を防止できる。
【００２１】
請求項２の発明によれば、新たな部品を用いずに、カード収容部を形成するカードから誤挿入防止板部を有する板バネ片を形成することができる。
【００２２】
カバーから切り起こされる板バネ片は、後方側面にメモリーカードが当接する方向での断面係数が大きいので、メモリーカードの挿入方向に対して大きな曲げ応力が発生せず、破損しにくい。
【００２３】
コンタクトやメモリーカードをシールドするカバーから、簡単なプレス加工だけで誤挿入防止板部を形成できる。
【００２４】
請求項３の発明によれば、メモリーカードの挿入方向の前面上下に湾曲面が形成されていても、誤姿勢で挿入するメモリーカードは、前面の鉛直平坦面が誤挿入防止板部の後方側面に当接し、確実にその挿入が規制される。
【００２５】
請求項４の発明によれば、板バネ片が塑性変形せずに、誤姿勢で挿入するメモリーカードの挿入を規制できる。
【００２６】
請求項５の発明によれば、通常の姿勢で挿入されるメモリーカードの傾斜面が案内面に当接し、誤挿入防止板部はより確実にカード収容部から退避する。
【図面の簡単な説明】
【００２７】
【図１】本願発明の一実施の形態に係るメモリーカード用コネクタ１に通常の姿勢でメモリーカード１０を挿入する状態を斜め前方の上方からみた斜視図である。
【図２】ケース２とカバー３の分解斜視図である。
【図３】カバー３の（ａ）は、平面図、（ｂ）は、板バネ片４を示す要部斜視図（ｃ）は、（ｂ）のＡ−Ａ線断面図である。
【図４】カバー３を波線で示すメモリーカード用コネクタ１に通常の姿勢でメモリーカード１０を挿入する状態の（ａ）は、斜め後方の上方からみた斜視図、（ｂ）は、要部斜視図である。
【図５】メモリーカード用コネクタ１に通常の姿勢でメモリーカード１０を挿入する状態の（ａ）は、要部平面図、（ｂ）は、板バネ片４に沿って切断した縦断面図、（ｃ）は、（ａ）のＢ−Ｂ線断面図である。
【図６】メモリーカード用コネクタ１にメモリーカード１０を誤姿勢で挿入した状態の（ａ）は、要部平面図、（ｂ）は、板バネ片４に沿って切断した縦断面図、（ｃ）は、（ａ）のＣ−Ｃ線断面図である。
【図７】カバー３を波線で示すメモリーカード用コネクタ１にメモリーカード１０を誤姿勢で挿入した状態を示す要部斜視図である。
【図８】メモリーカード１０の底面図である。
【図９】従来のメモリーカード用コネクタ１００にメモリーカード１０を挿入する状態を示す斜視図である。
【図１０】従来のメモリーカード用コネクタ１００に通常の姿勢でメモリーカード１０を挿入する状態を示す縦断面図である。
【図１１】従来のメモリーカード用コネクタ１００にメモリーカード１０を誤挿入した状態を示す縦断面図である。
【発明を実施するための形態】
【００２８】
以下、本発明の一実施の形態に係るメモリーカード用コネクタ１を図１乃至図８を用いて説明する。メモリーカード用コネクタ１の各部の説明は、図２のカバー３側を上方、ケース２側を下方と、図３（ａ）において上下方向を前後方向と、左右方向を左右方向として説明する。このメモリーカード用コネクタ１は、図２に示すように、後方を除く周辺に沿ったコの字状の枠部により、その内側に凹部が形成されたケース２と、ケース２の上面に沿って組み立付けられる導電性の金属カバー３とから構成され、金属カバー３がケース２の凹部を上方から覆うことにより、その間にメモリーカード１０を収容するカード収容部６が形成される。
【００２９】
ケース２は、絶縁性合成樹脂で成形され、ケース２の成形の際にその前方寄りに前後方向に沿って多数のコンタクト５がインサート成形で一体に取り付けられている。各コンタクト５の後方の接触部は、カード収容部６内に突出し、カード収容部６に通常の姿勢で挿入されるメモリーカード１０の導電パッド１２に接触する。図７に示すように、各コンタクト５のうち、メモリーカード１０の傾斜面１０ａ後方に露出する導電パッド１２ａに接触するコンタクト５ａは、他のコンタクト５よりわずかに後方位置でその接触部がコンタクト収容部６内に臨むように取り付けられ、その後方を含む周囲は、誤挿入防止枠部７で囲まれている。誤挿入防止枠部７は、上記従来の従来の誤挿入防止突起１０１と同様に作用するもので、従って、その高さはメモリーカード１０の凹溝１１内を干渉せずに通過するように、高さ０．５ｍｍ以下の高さとなっている。
【００３０】
ケース２の左右の枠部間には、コンタクト５の接触部の前後で摺動自在の排出板１３が掛け渡され、この排出板１３は、ケース２の右枠部内に装着された圧縮バネ１４により後方に付勢されるとともに、その前方の右枠部内に形成されたハートカム溝に先端が係合するリンクが回動自在に連結されることにより、周知のプッシュ−プッシュ型イジェクト機構が構成される。すなわち、通常の姿勢で挿入するメモリーカード１０は、排出板１３に当接し、圧縮バネ１４に抗して更に前方へ挿入すると、リンクがハートカム溝のロック位置に係合し、排出板１３はロック位置で位置決めされ、メモリーカード１０はコンタクト５に接続した状態で挿入力を解除しても保持される。また、この状態から更にメモリーカード１０を押し込むと、リンクがハートカム溝のロック位置から外れ、圧縮バネ１４により付勢され排出板１３によってメモリーカード１０がカード収容部６から排出される。
【００３１】
ケース２の左右の枠部間の更に後方のカード収容部６の開口近傍には、シャッター１５が回動自在に掛け渡されている。シャッター１５は、メモリーカード１０が収容されていないカード収容部６の開口付近を覆い、カード収容部６内への埃の進入を防いでいる。また、シャッター１５の係合部１５ａは、金属カバー３側の左右の離れた位置に形成された一対のＶ字状検知片１６、１６とカード収容部６の開口付近を覆う状態で係合し、メモリーカード１０が前後方向の挿入方向以外の斜めから挿入された場合には、一方のＶ字状検知片１６との係合が解除されずに回動が規制され、前後方向以外のメモリーカード１０のカード収容部６内への挿入が規制される構造となっている。
【００３２】
更に、シャッター１５の係合部１５ａのカード収容部６の内底面からの高さｈは、メモリーカード用コネクタ１に接続する規定のメモリーカード１０の厚さよりわずかに低い高さとなっている。これにより、係合部１５ａの高さｈより薄いメモリーカードは、カード収容部６へ挿入しようとしても、一対のＶ字状検知片１６、１６を押し上げてシャッター１５との係合を解除させることができず、カード収容部６への挿入が規制される。
【００３３】
金属カバー３は、図２に示すように、長方形状の導電性金属板の左右両側を、ケース２の左右の枠部を外側から囲うように折り曲げて、ケース２の凹部を覆い取り付けられるもので、その平面の後方側に上述の一方のＶ字状検知片１６が切り起こして形成されている他、ケース２に取り付けられるコンタクト５ａよりやや後方の平面に、平面が右方に向かって略Ｕ字状に切り欠かれることにより、その内側に板バネ片４が一体に形成されている。ここで略Ｕ字状とは、Ｖ字状の他、基端側の一辺を残して細長帯状に形成される全ての形状を含む。
【００３４】
板バネ片４は、図３（ａ）、（ｂ）に示すように、金属カバー３平面の中央側を基端４ａとして右方に向けて一体に片持ち支持され、鉛直方向に見たその後方側辺４ｂは左右方向と平行で、メモリーカード１０の挿入方向に直交している。一方、前方側辺４ｃは、右方に向かって後方に傾斜し、これにより、板バネ片４の前後方向幅は自由端から基端側に向かって太幅とし、鉛直方向の中立軸回りの断面係数を基端４ａに向けて増大させている。板バネ片４は、後述するようにその自由端側の誤挿入防止板部８がメモリーカード１０から前方への挿入力を受け、基端４ａに最も大きな曲げモーメントが発生するが、基端４ａの断面係数が最大で曲げ応力を低下させることが出来るので、強い挿入力を受けても塑性変形しにくい。
【００３５】
また、板バネ片４は、中央付近で斜め下方に折り曲げられ、その自由端側がカード収容部６内に臨む誤挿入防止板部８となっている。誤挿入防止板部８は、図４（ａ）、（ｂ）に示すように、通常の姿勢で前方に挿入されるメモリーカード１０の傾斜面１０ａがカード収容部６内を移動する移動軌跡を横切るようにカード収容部６内に臨み、これにより、通常の姿勢で挿入されるメモリーカード１０は、図５（ａ）、（ｂ）、（ｃ）に示すように、傾斜面１０ａの上端が誤挿入防止板部８の後方側面８ａの下端に当接する。
【００３６】
基端側が斜め下方に折り曲げられた誤挿入防止板部８は、その自由端が最も下方の位置でカード収容部６内に臨むが、ここでは、少なくとも自由端とカード収容部６の内底面までの間隔が、シャッター１５の係合部１５ａの高さｈ以下となっている。これにより、シャッター１５を回動させて挿入されるメモリーカード１０は、その挿入姿勢にかかわらず確実に誤挿入防止板部８に当接する。
【００３７】
また、この誤挿入防止板部８の自由端の後方側面８ｄは、図６（ａ）、（ｃ）に示すように、その基端側の後方側面８ａより後方に突出するように形成されている。従って、図６（ｃ）に示すように、誤姿勢で挿入されるメモリーカード１０の前面上部が湾曲面となっていても、最も下方に位置する後方側面８ｄがメモリーカード１０の平坦な前面に当接し、誤って誤挿入防止板部８の下方にメモリーカード１０が潜り込み、誤挿入防止板部８を上方へ退避させてしまうことがない。
【００３８】
本実施の形態では、図３（ｃ）に示すように、誤挿入防止板部８の後方側面８ａと下面８ｂとの境界に沿って後方下向きに面する案内面８ｃを形成するので、傾斜面１０ａの上部は、確実に後方側面８ａ下部の傾斜面８ｃに当接する。
【００３９】
このように構成されたメモリーカード用コネクタ１に、始めに図１に示すように、傾斜面１０ａを右前方隅とした通常の姿勢のメモリーカード１０をカード収容部６へ挿入する場合について説明する。通常の姿勢で挿入されるメモリーカード１０であっても、規定の挿入方向である前後方向に対して挿入方向が傾斜する場合やカード収容部６の高さに対して規定以下の薄いメモリーカードが挿入される場合には、一対のＶ字状検知片１６、１６の少なくとも一方が、挿入するメモリーカードによって上方に押し上げられず、シャッター１５との係合が外れないので、シャッター１５はカード収容部６の開口を覆う状態で回動しない。すなわち、通常の姿勢のメモリーカード１０は、ほぼ前後方向に沿ってカード収容部６の前方に挿入される。
【００４０】
図４（ａ）、（ｂ）に示すように、メモリーカード１０を誤挿入防止板部８との当接位置まで挿入すると、誤挿入防止板部８は、右前方隅の傾斜面１０ａの移動軌跡を横切るようにカード収容部６内に臨んでいるので、内底面からの高さがメモリーカード１０と同じ高さにある誤挿入防止板部８の下部（案内面８ｃ）の中間位置に当接する。図５（ａ）、（ｂ）、（ｃ）に示すように、誤挿入防止板部８は、右方（図５（ｂ）では左方）に向かって下方に傾斜しているのに対し、傾斜面１０ａは、右方に向かって後方に傾斜するので、メモリーカード１０の前方への移動にともない、当接位置は誤挿入防止板部８の案内面８ｃに沿って自由端側（右方）に移動する。一方、誤挿入防止板部８に当接する傾斜面１０ａの内底面からの高さは変わらないので、当接位置の高さは変化せず、誤挿入防止板部８はカード収容部６から退避する上方へ押し上げられる。
【００４１】
従って、メモリーカード１０を誤挿入防止板部８の下方で更に前方へ挿入することができる。このとき、誤挿入防止枠部７は、通常の姿勢で前方に挿入されるメモリーカード１０の傾斜面１０ａと干渉しない部位に設けられているので、メモリーカード１０の凹溝１１内を通過し、メモリーカード１０は、各導電パッド１２がコンタクト５に接触する接続位置まで挿入される。この状態で、前方への挿入力を解いても、上述のプッシュ−プッシュ型イジェクト機構により、メモリーカード１０はその接続位置に保持される。
【００４２】
メモリーカード１０をカード収容部６から排出する場合には、接続位置から更にメモリーカード１０を押し込むと、圧縮バネ１４により後方へ付勢される排出板１３によりメモリーカード１０がカード収容部６から排出される。誤挿入防止板部８と一方のＶ字状検知片１６は、それぞれ弾性片からなるので、メモリーカード１０が排出されることにより、挿入前の原位置、すなわち、カード収容部６内に臨む位置に復帰し、一方のＶ字状検知片１６はそれぞれシャッター１５の係合部１５ａに係合する。
【００４３】
次に、メモリーカード用コネクタ１のカード収容部６に、表裏を逆にしたり、傾斜面１０ａを後方とした誤姿勢のメモリーカード１０を挿入する場合について説明する。このような誤姿勢のメモリーカード１０であっても、その厚みは同一であるので、前後方向に沿って挿入されれば、シャッター１５の係合が解かれ、カード収容部６前方へ挿入することが出来る。
【００４４】
シャッター１５を回転させ、前方に挿入される誤姿勢のメモリーカード１０は、誤挿入防止板部８が当接する部位に傾斜面１０ａがなく、上方が湾曲して上面に連続する平坦な鉛直面１０ｂとなっている。一方、カード収容部６内に臨む誤挿入防止板部８では、自由端の後方側面８ｄが最も後方に突出しているので、図６（ａ）、（ｂ）、（ｃ）に示すように、誤挿入防止板部８の最も下方の自由端が、メモリーカード１０の平坦な鉛直面１０ｂに当接する。従って、鉛直面１０ｂ上方の湾曲面が誤挿入防止板部８の基端側下部に当接して、誤って誤挿入防止板部８が上方へ押し上げられることがない。
【００４５】
誤挿入防止板部８の自由端が当接するメモリーカード１０の鉛直面１０ｂは、挿入方向に対して直交する平坦面であるので、当接位置は移動せず、誤挿入防止板部８はカード収容部６から上方へ退避しない。従って、誤姿勢のメモリーカード１０は、誤挿入防止板部８によって更に前方への挿入が規制され、各導電パッド１２がコンタクト５に接触する接続位置まで挿入することができない。
【００４６】
誤挿入防止板部８との当接に前後して、前方へ挿入しようとするメモリーカード１０は、誤挿入防止枠部７の位置に傾斜面１０ａがないので、図７に示すように、誤挿入防止枠部７に当接し、挿入が規制される。すなわち、同図に示すように、誤挿入防止板部８と誤挿入防止枠部７のいずれか一方、若しくは双方で、誤姿勢で挿入されるメモリーカード１０の接続位置までの挿入が規制される。この位置まで挿入されたメモリーカード１０は、接続位置まで達していないので、挿入力を解除すると、圧縮バネ１４により後方へ付勢される排出板１３によってカード収容部６から排出される。誤挿入防止板部８と一方のＶ字状検知片１６は、それぞれ弾性片からなるので、メモリーカード１０が排出されることにより、挿入前の原位置、すなわち、カード収容部６内に臨む位置に復帰し、一方のＶ字状検知片１６はそれぞれシャッター１５の係合部１５ａに係合する。
【００４７】
本実施の形態では、誤挿入防止枠部７でも誤姿勢のメモリーカード１０の挿入を規制しているが、誤挿入防止板部８のみで規制できれば、必ずしも設ける必要はない。
【００４８】
また、誤挿入防止板部８の自由端の後方側面８ｄを、最も後方へ突出させているが、誤姿勢で挿入されるメモリーカードの上方に湾曲面が形成されていない板状のメモリーカードであれば、誤挿入防止板部８の後方側面８ａを自由端まで挿入方向に直交する平面としてもよい。
【００４９】
また、本実施の形態では、下面側の前方に導電パッド１２が露出するメモリーカード１０の挿入姿勢を通常の姿勢として説明したが、表裏逆に挿入するメモリーカード１０の挿入姿勢を通常の姿勢としてもよい。この場合には、傾斜面１０ａは、左前方隅となるので、板バネ片４は、カバー３の中央から左方に向かって片持ち支持される。
【産業上の利用可能性】
【００５０】
メモリーカードを携帯電話機などの電子機器へ接続するメモリーカード用コネクタに適している。
【符号の説明】
【００５１】
１      メモリーカード用コネクタ
２      ケース
３      カバー（金属カバー）
４      板バネ片
５      コンタクト
６      カード収容部
８      誤挿入防止板部
８ａ    後方側面
８ｃ    案内面
１０    メモリーカード
１０ａ  傾斜面
【図１】
2012059446.tif 000003
【図２】
2012059446.tif 000004
【図３】
2012059446.tif 000005
【図４】
2012059446.tif 000006
【図５】
2012059446.tif 000007
【図６】
2012059446.tif 000008
【図７】
2012059446.tif 000009
【図８】
2012059446.tif 000010
【図９】
2012059446.tif 000011
【図１０】
2012059446.tif 000012
【図１１】
2012059446.tif 000013